(57)【特許請求の範囲】
【請求項１】
少なくともバイオマスを含む燃料によりガス化ガスを作る間接加熱式ガス化炉１と、
少なくともバイオマスを含む燃料により熱媒体を加熱する燃焼炉２Ａを有し、熱媒体の熱によって過熱蒸気を作る循環流動層ボイラ２であり、前記間接加熱式ガス化炉１に対し、該間接加熱式ガス化炉１と前記燃焼炉２Ａとの間で、熱媒体が循環するように接続された循環流動層ボイラ２と、
前記間接加熱式ガス化炉１とガス化ガス供給ラインＬ１を介して接続され、前記間接加熱式ガス化炉１から供給されるガス化ガスを燃料として過熱蒸気を作る独立過熱器３と、
前記循環流動層ボイラ２及び前記独立過熱器３と過熱蒸気供給ラインＬ２０、Ｌ２１を介して接続され、循環流動層ボイラ２及び前記独立過熱器３から供給される過熱蒸気により発電する復水タービン発電機４と、
前記復水タービン発電機４と前記間接加熱式ガス化炉１とにわたり、前記復水タービン発電機４から抽気された蒸気をガス化剤として前記間接加熱式ガス化炉１に供給するように接続されたガス化剤供給ラインＬ２２と、
前記復水タービン発電機４と前記独立過熱器３とにわたり、前記復水タービン発電機４から抽気された蒸気を前記独立過熱器３に供給するように接続された蒸気供給ラインＬ２３と、
前記復水タービン発電機４と前記循環流動層ボイラ２とにわたり、道中に接続された復水器４０により復水タービン発電機４からの蒸気を凝縮すると共に、凝縮された凝縮水を前記循環流動層ボイラ２に供給するように接続されたボイラ給水ラインＬ２４とを備えている低炭素型エネルギー供給システムＡ。
【発明の詳細な説明】
【技術分野】
【０００１】
本発明は、低炭素型エネルギー供給システムに関し、特に、少なくともバイオマスを含む燃料を用いてＣＯ2排出量を低減して製造された低炭素型エネルギーを供給するシステムに関する。
【背景技術】
【０００２】
地球温暖化問題は、ますます深刻度を増しており、２０１５年にパリで開催されたＣＯＰ２１(国連気候変動枠組条約第２１回締約国会議)で、温暖化対策の枠組みが決められ、世界各国は、温暖化対策の枠組みに基づいて、ＣＯ2の削減目標を提出している  【０００３】
地球温暖化の要因は種々あるが、中でも石炭火力発電及び輸送部門(例えば、自動車・航空機等)から排出されるＣＯ2が問題となっている。【０００４】
近年の石炭火力発電は、高効率ではあるがｋＷｈ当たりのＣＯ2排出量は、ＬＮＧを用いたＧＴＣＣ発電の２倍以上あるため、ＣＯ2排出量を削減する対策として、石炭とバイオマスを混焼することが多くの微粉炭焚き火力発電で実施されているが、石炭とバイオマスとの混焼よる微粉炭焚き火力発電では、熱量ベースで数％の混焼率でしかなく、この程度の混焼率では、ＣＯ2排出量の大幅な削減が期待できないものであり、ＣＯ2排出量の大幅削減が可能なシステム技術が求められている。【０００５】
一方、自動車から排出されるＣＯ2を削減する対策として、世界各国で水素の活用が進みつつあるが、活用される水素が化石燃料由来のものでは、ＣＯ2の削減に意味がないものであり、再生可能エネルギーを活用する低炭素型の水素が求められている。
【発明の概要】
【発明が解決しようとする課題】
【０００６】
本発明は、少なくともバイオマスを含む燃料を用いる間接加熱式ガス化炉及び循環流動層ボイラ、復水タービン発電装置、ガス化ガス活用装置(独立加熱器、ガスタービン発電装置、排熱回収ボイラ、水素分離装置、ガスクーラー等)を有機的に結合一体化することで、エネルギー効率の向上等の相乗効果を発揮させて、ＣＯ2排出量が少ない低炭素型で高効率なエネルギー供給システムを提案するものである。【０００７】
尚、本発明に関連する先行技術文献のうち、出願人が当該特許出願時に知っているものがないので、開示すべき先行技術文献情報はない。
【課題を解決するための手段】
【０００８】
前述の課題を解決するため、本発明は、以下の手段を採用した。【０００９】
少なくともバイオマスを含む燃料によりガス化ガスを作る間接加熱式ガス化炉と、少なくともバイオマスを含む燃料により熱媒体を加熱する燃焼炉を有し、熱媒体の熱によって過熱蒸気を作る循環流動層ボイラであり、前記間接加熱式ガス化炉に対し、該間接加熱式ガス化炉と前記燃焼炉との間で、熱媒体が循環するように接続された循環流動層ボイラと、前記間接加熱式ガス化炉とガス化ガス供給ラインを介して接続され、前記間接加熱式ガス化炉から供給されるガス化ガスを燃料として過熱蒸気を作る独立過熱器と、前記循環流動層ボイラ及び前記独立過熱器と過熱蒸気供給ラインを介して接続され、循環流動層ボイラ及び前記独立過熱器から供給される過熱蒸気により発電する復水タービン発電機と、前記復水タービン発電機と前記間接加熱式ガス化炉とにわたり、前記復水タービン発電機から抽気された蒸気をガス化剤として前記間接加熱式ガス化炉に供給するように接続されたガス化剤供給ラインと、前記復水タービン発電機と前記独立過熱器とにわたり、前記復水タービン発電機から抽気された蒸気を前記独立過熱器に供給するように接続された蒸気供給ラインと、前記復水タービン発電機と前記循環流動層ボイラとにわたり、道中に接続された復水器により復水タービン発電機からの蒸気を凝縮すると共に、凝縮された凝縮水を前記循環流動層ボイラに供給するように接続されたボイラ給水ラインとを備えている低炭素型エネルギー供給システムにしたことである。【００１０】
少なくともバイオマスを含む燃料によりガス化ガスを作る間接加熱式ガス化炉と、少なくともバイオマスを含む燃料により熱媒体を加熱する燃焼炉を有し、熱媒体の熱によって過熱蒸気を作る循環流動層ボイラであり、前記間接加熱式ガス化炉に対し、該間接加熱式ガス化炉と前記燃焼炉との間で、熱媒体が循環するように接続された循環流動層ボイラ２と、前記間接加熱式ガス化炉とガスクーラーが接続されたガス化ガス供給ラインを介して接続され、前記間接加熱式ガス化炉から供給されるガス化ガスを燃料として発電するガスタービン発電機と、前記ガスタービン発電機と排ガス供給ラインを介して接続され、前記ガスタービン発電機から供給される排ガスの熱により過熱蒸気を作る排熱回収ボイラと、前記ボイラ及び前記排熱回収ボイラと過熱蒸気供給ラインを介して接続され、循環流動層ボイラ及び前記排熱回収ボイラから供給される過熱蒸気により発電する復水タービン発電機と、前記復水タービン発電機と前記間接加熱式ガス化炉とにわたり、前記復水タービン発電機から抽気された蒸気をガス化剤として前記間接加熱式ガス化炉に供給するように接続されたガス化剤供給ラインと、前記復水タービン発電機と前記循環流動層ボイラとにわたり、道中に接続された復水器により、復水タービン発電機からの蒸気を凝縮すると共に、凝縮された凝縮水を前記循環流動層ボイラに供給するように接続されたボイラ給水ラインと、前記ボイラ給水ラインと前記復水タービン発電機とにわたり、道中に接続された前記ガスクーラーにより、前記ボイラ給水ラインから分岐した凝縮水とガス化ガスとを熱交換して、ガス化ガスを冷却すると共に、凝縮水を加熱して過熱蒸気を作り、且つ作られた過熱蒸気を発電動力として前記復水タービン発電機に供給するように接続された熱交換ラインと、前記ボイラ給水ラインと前記排熱回収ボイラとにわたり、前記ボイラ給水ラインから分岐した凝縮水を前記排熱回収ボイラに供給するように接続されたボイラ給水ラインとを備えている低炭素型エネルギー供給システムにしたことである。【００１１】
少なくともバイオマスを含む燃料によりガス化ガスを作る間接加熱式ガス化炉と、少なくともバイオマスを含む燃料により熱媒体を加熱する燃焼炉を有し、熱媒体の熱によって過熱蒸気を作る循環流動層ボイラであり、前記間接加熱式ガス化炉に対し、該間接加熱式ガス化炉と前記燃焼炉との間で、熱媒体が循環するように接続された循環流動層ボイラと、前記間接加熱式ガス化炉とガスクーラーが接続されたガス化ガス供給ラインを介して接続され、前記ガス化炉から供給されたガス化ガスから水素を分離する水素分離器と、前記循環流動層ボイラと過熱蒸気供給ラインを介して接続され、前記循環流動層ボイラから供給される過熱蒸気により発電する復水タービン発電機と、前記復水タービン発電機と前記間接加熱式ガス化炉とにわたり、前記復水タービン発電機から抽気された蒸気をガス化剤として前記間接加熱式ガス化炉に供給するように接続されたガス化剤供給ラインと、前記復水タービン発電機と前記循環流動層ボイラとにわたり、道中に接続された復水器により、復水タービン発電機からの蒸気を凝縮すると共に、凝縮された凝縮水を前記循環流動層ボイラに供給するように接続されたボイラ給水ラインと、前記ボイラ給水ラインと前記復水タービン発電機とにわたり、道中に接続された前記ガスクーラーにより、前記ボイラ給水ラインから分岐した凝縮水とガス化ガスとを熱交換して、ガス化ガスを冷却すると共に、凝縮水を加熱して過熱蒸気を作り、且つ作られた過熱蒸気を発電動力として前記復水タービン発電機に供給するように接続された熱交換ラインとを備えている低炭素型エネルギー供給システムにしたことである。
【図面の簡単な説明】
【００１２】
【図１】本発明に係る第１実施形態の低炭素型エネルギー供給システムを示す構成図である。
【図２】本発明に係る第２実施形態の低炭素型エネルギー供給システムを示す構成図である。
【図３】本発明に係る第３実施形態の低炭素型エネルギー供給システムを示す構成図である。
【発明を実施するための形態】
【００１３】
以下、本発明に係る第１実施形態〜第３実施形態の低炭素型エネルギー供給システム (以下「エネルギー供給システム」という)Ａ〜Ｃを図１〜図３に基づいて説明する。尚、各実施形態において重複する部分についての説明は、同符号を付すことにより省略する
【００１４】
[第１実施形態：図１]  
エネルギー供給システムＡは、供給するエネルギーを電力としたものであり、使用する燃料として、バイオマス(木質ペレット、ＰＫＳ(パーム椰子殻))と、低品位炭(亜歴青炭)を用いたものである。
【００１５】
尚、第１実施形態を含み、各実施形態で用いられるバイオマス及び低品位炭は、例示したもの以外のバイオマス及び低品位炭も用いることができる。
【００１６】
エネルギー供給システムＡは、木質ペレットによりガス化ガスを作る間接加熱式ガス化炉１と、ＰＫＳと亜歴青炭の混合燃料により過熱蒸気を作る循環流動層ボイラ２と、ガス化ガスを燃料として過熱蒸気を作る独立過熱器３と、循環流動層ボイラ２と独立過熱器３とで作られた過熱蒸気により発電する復水タービン発電機４とを備えている。
【００１７】
ここで、循環流動層ボイラ２は、燃焼炉２Ａ、サイクロン(図示せず)等を有し、供給された混合燃料の燃焼による燃焼熱によって燃焼炉２Ａ内の熱媒体を加熱し、サイクロンの吸引・分離機能を利用して、燃焼炉２Ａ内の燃焼ガスを吸引して排ガスと熱媒体とに分離すると共に、分離した熱媒体を燃焼炉２Ａとサイクロン間で循環させるように構成されたものである。
【００１８】
間接加熱式ガス化炉１は、循環流動層ボイラ２の燃焼炉２Ａと熱媒体が移送されるように接続されており、移送された熱媒体と固体燃料の分解熱により、水蒸気ガス化反応でガス化ガスを生成するようにされたものである。
【００１９】
また、間接加熱式ガス化炉１と循環流動層ボイラ２の燃焼炉２Ａとは、間接加熱式ガス化炉１に移送された熱媒体が、循環流動層ボイラ２の燃焼炉２Ａに移送されるように接続されている。
【００２０】
すなわち、燃焼炉２Ａは、循環流動層ボイラ２で過熱蒸気を作るための燃焼炉２Ａと、間接加熱式ガス化炉１の燃焼炉２Ａとして共用できる。
【００２１】
したがって、間接加熱式ガス化炉１でガス化ガスを作り、循環流動層ボイラ２で過熱蒸気を作りながら、間接加熱式ガス化炉１及び循環流動層ボイラ２の燃焼炉２Ａで加熱された熱媒体を相互に移送して循環するように構成することで、ガス化ガスと過熱蒸気とを効率的に作ることができるようになっている。
【００２２】
間接加熱式ガス化炉１と独立過熱器３とは、ガス化ガスを独立過熱器３に供給するガス化ガス供給ラインＬ１を介して接続されており、間接加熱式ガス化炉１から供給されるガス化ガスを燃料として独立過熱器３が過熱蒸気を作るようになっている。
【００２３】
復水タービン発電機４の下流側から間接加熱式ガス化炉１にわたり、復水タービン発電機４から取り出された蒸気をガス化剤として間接加熱式ガス化炉１に供給するガス化剤供給ラインＬ２２が接続されている。
【００２４】
循環流動層ボイラ２と復水タービン発電機４とは、循環流動層ボイラ２で作られた過熱蒸気を復水タービン発電機４に供給する過熱蒸気供給ラインＬ２０を介して接続されており、循環流動層ボイラ２から供給される過熱蒸気によって、復水タービン発電機４が発電するようにされている。
【００２５】
独立過熱器３と復水タービン発電機４とは、独立過熱器３で作られた過熱蒸気を復水タービン発電機４に供給する過熱蒸気供給ラインＬ２１を介して接続されており、独立過熱器３から供給される過熱蒸気によって、復水タービン発電機４が発電するようにされている。
【００２６】
ガス化剤供給ラインＬ２２から独立過熱器３にわたるように、ガス化剤供給ラインＬ２２の蒸気を独立過熱器３に供給する蒸気供給ラインＬ２３が接続されており、ガス化剤供給ラインＬ２２から分岐して供給される蒸気を独立過熱器３が加熱して過熱蒸気を作るようにされている。
【００２７】
すなわち、独立過熱器３から復水タービン発電機４２を経て再び独立過熱器３に至るライン上において、独立過熱器３からの過熱蒸気が復水タービン発電機４を発電動作させた際に蒸気となり、この蒸気が独立過熱器３に供給されると共に、加熱されて過熱蒸気となって、復水タービン発電機４に供給される再熱サイクルが構成されており、この再熱サイクルによって、効率よく過熱蒸気を作ることができると共に、効率よく発電を行うことができる。
【００２８】
復水タービン発電機４の下流側から循環流動層ボイラ２にわたるように、道中に復水器４０を有したボイラ給水ラインＬ２４が接続されており、復水タービン発電機４を通過する蒸気が復水器４０で凝縮されて凝縮水となり、この凝縮水を、ボイラ給水ラインＬ２４を経て循環流動層ボイラ２に供給するようにされている。
【００２９】
循環流動層ボイラ２と独立過熱器３とは、ガス化ガスの燃焼によって独立過熱器３から排気される排ガスを、循環流動層ボイラ２において過熱蒸気を作るための熱として循環流動層ボイラ２に吹き込む排ガス供給ラインＬ３０を介して接続されており、これによって、循環流動層ボイラ２で効率的に過熱蒸気を作ることができると共に、排ガスを有効利用することができる。
【００３０】
尚、独立過熱器３から排気される排ガスは、循環流動層ボイラ２に吹き込ませずに大気に放出するようにしてもよい。
【００３１】
第１実施形態のエネルギー供給システムＡによると、カーボンニュートラルなバイオマスを由来とする木質ペレットにより作られたガス化ガスを燃料として作られた過熱蒸気と、カーボンニュートラルなバイオマスであるＰＫＳと低品位炭である亜歴青炭との混合燃料によって作られた過熱蒸気とによって復水タービン発電機４を発電動作させることができるので、発電時におけるＣＯ2の削減を実現し、その上、極めて効率的に発電を行うことができる。
【００３２】
また、間接加熱式ガス化炉１及び循環流動層ボイラ２は、夫々、バイオマスと石炭の混焼率や種類に制限がなく、しかも、間接加熱式ガス化炉１と循環流動層ボイラ２との間で加熱された熱媒体を循環させるようにしているため、バイオマス及び低品位炭を燃料として有効利用できると共に、効率的にガス化ガス及び過熱蒸気を作ることができる。
【００３３】
[第２実施形態：図２]
エネルギー供給システムＢは、供給するエネルギーを電力としたものであり、使用する燃料としては、第１実施形態と同じである。
【００３４】
エネルギー供給システムＢは、木質ペレットによりガス化ガスを作る間接加熱式ガス化炉１と、ＰＫＳと亜歴青炭の混合燃料により過熱蒸気を作る循環流動層ボイラ２と、間接加熱式ガス化炉１から供給されるガス化ガスを燃料として発電するガスタービン発電機５と、ガスタービン発電機５から供給される排ガスの熱により過熱蒸気を作る排熱回収ボイラ６と、高温のガス化ガスと低温の凝縮水とを熱交換して過熱蒸気を作るガスクーラー４１と、循環流動層ボイラ２及び排熱回収ボイラ６並びにガスクーラー４１から供給される過熱蒸気により発電する復水タービン発電機４とを備えている。
【００３５】
尚、本実施形態の間接加熱式ガス化炉１及び循環流動層ボイラ２の構成は、第１実施形態と同じであり、同様の作用効果を有するものである。また、第１実施形態と重複する構成についての説明は、図面に同符号を付すことにより省略する。
【００３６】
間接加熱式ガス化炉１とガスタービン発電機５とは、ガス化ガスをガスタービン発電機５に供給するガス化ガス供給ラインＬ１を介して接続されており、間接加熱式ガス化炉１から供給されるガス化ガスを燃料としてガスタービン発電機５が発電するようにされている。
【００３７】
循環流動層ボイラ２と復水タービン発電機４とは、第１実施形態と同様に過熱蒸気供給ラインＬ２０及び道中に復水器４０を有したボイラ給水ラインＬ２４を介して接続され、間接加熱式ガス化炉１と復水タービン発電機４とは、第１実施形態と同様にガス化剤供給ラインＬ２２を介して接続されている。
【００３８】
ガスタービン発電機５と排熱回収ボイラ６とは、ガスタービン発電機５から排気された排ガスを排熱回収ボイラ６に吹き込む排ガス供給ラインＬ３を介して接続され、ボイラ給水ラインＬ２４と排熱回収ボイラ６とは、ボイラ給水ラインＬ２４から排熱回収ボイラ６に凝縮水を供給するボイラ給水ラインＬ２４０を介して接続されている。
【００３９】
すなわち、排熱回収ボイラ６が、ボイラ給水ラインＬ２４０を介して供給された凝縮水を、ガスタービン発電機５から排気される排ガスの熱によって加熱して過熱蒸気を作ることができる。
【００４０】
排熱回収ボイラ６と復水タービン発電機４とは、排熱回収ボイラ６で作られた過熱蒸気を復水タービン発電機４に供給する過熱蒸気供給ラインＬ２１を介して接続されており、排熱回収ボイラ６から供給される過熱蒸気によって、復水タービン発電機４が発電するようにされている。
【００４１】
ガスクーラー４１は、ガス化ガス供給ラインＬ１の道中及びボイラ給水ラインＬ２４から分岐して復水タービン発電機４にわたるように接続された熱交換ラインＬ２５の道中に接続されており、間接加熱式ガス化炉１から供給される高温のガス化ガスと、熱交換ラインＬ２５から供給される低温の凝縮水とを熱交換して、ガス化ガスを冷却すると共に、凝縮水を加熱して過熱蒸気を作るようにされている。
【００４２】
冷却されたガス化ガスは、ガス化ガス供給ラインＬ１に接続された精製装置４２で精製され、精製されたガス化ガスがガスタービン発電機５の燃料として供給され、熱交換によって作られた過熱蒸気は、復水タービン発電機４に発電動力として供給される。  
【００４３】
第２実施形態のエネルギー供給システムＢによると、カーボンニュートラルなバイオマスを由来とする木質ペレットにより作られたガス化ガスを燃料としてガスタービン発電機５を発電動作させることができると共に、カーボンニュートラルなバイオマスであるＰＫＳと低品位炭である亜歴青炭との混合燃料によって作られた過熱蒸気と、ガスタービン発電機５から排気される排ガスの熱によって作られた過熱蒸気と、ガスクーラー４１での熱交換時に作られた過熱蒸気とで、復水タービン発電機４を発電動作させることができるので、発電時におけるＣＯ2の削減を実現し、その上、際めて効率的に発電を行うことができる。
【００４４】
また、間接加熱式ガス化炉１及び循環流動層ボイラ２は、夫々、バイオマスと石炭の混焼率や種類に制限がなく、しかも、間接加熱式ガス化炉１と循環流動層ボイラ２との間で加熱された熱媒体を循環させるようにしているため、バイオマス及び低品位炭を燃料として有効利用できると共に、効率的にガス化ガス及び過熱蒸気を作ることができる。
【００４５】
[第３実施形態：図３]
エネルギー供給システムＣは、供給するエネルギーを電力及び水素としたものであり、使用する燃料として、木質ペレットとＰＫＳ炭との第１の混合燃料及びＰＫＳと亜歴青炭との第２の混合燃料を用いたものである。
【００４６】
エネルギー供給システムＣは、第１の混合燃料によりガス化ガスを作る間接加熱式ガス化炉１と、第２の混合燃料により過熱蒸気を作る循環流動層ボイラ２と、間接加熱式ガス化炉１から供給されるガス化ガスから水素を分離する水素分離器７と、高温のガス化ガスと低温の凝縮水とを熱交換して過熱蒸気を作るガスクーラー４１と、循環流動層ボイラ２及びガスクーラー４１から供給される過熱蒸気により発電する復水タービン発電機４とを備えている。
【００４７】
尚、本実施形態の間接加熱式ガス化炉１及び循環流動層ボイラ２の構成は、第１実施形態及び第２実施形態と同じであり、同様の作用効果を有するものである。また、第１実施形態及び第２実施形態と重複する構成についての説明は、同符号を付すことにより省略する。
【００４８】
循環流動層ボイラ２と復水タービン発電機４とは、第１実施形態及び第２実施形態と同様に過熱蒸気供給ラインＬ２０及び道中に復水器４０を有したボイラ給水ラインＬ２４を介して接続され、間接加熱式ガス化炉１と復水タービン発電機４とは、第１実施形態及び第２実施形態と同様にガス化剤供給ラインＬ２２を介して接続されている。
【００４９】
間接加熱式ガス化炉１と水素分離器７とは、ガス化ガス供給ラインＬ１を介して接続されており、間接加熱式ガス化炉１から水素分離器７にガス化ガスを供給し、水素分離器７において供給されたガス化ガスから水素を分離するようにされている。
【００５０】
ガスクーラー４１は、第２実施形態と同様に、ガス化ガス供給ラインＬ１の道中及びボイラ給水ラインＬ２４から分岐して復水タービン発電機４にわたるように接続された熱交換ラインＬ２５の道中に接続されており、間接加熱式ガス化炉１から供給される高温のガス化ガスと、熱交換ラインＬ２５から供給される低温の凝縮水とを熱交換して、ガス化ガスを冷却すると共に、凝縮水を加熱して過熱蒸気を作るようにされている。
【００５１】
ガスクーラー４１での熱交換によって冷却されたガス化ガスは、精製装置４２で精製されて水素の原料として水素分離器７に供給され、熱交換によって作られた過熱蒸気は、復水タービン発電機４に発電動力として供給される。  
【００５２】
分離された水素は、カーボンニュートラルなバイオマスからなる混合燃料を由来とするガス化ガスを原料としているので、製造時のＣＯ2排出量が「０」であるＣＯ2フリー水素である。
【００５３】
第３実施形態のエネルギー供給システムＣによると、カーボンニュートラルなバイオマスからなる混合燃料を由来とするガス化ガスを原料としてＣＯ2フリーな水素を作ることができ、カーボンニュートラルなバイオマスと低品位炭である亜歴青炭からなる混合燃料として作られた過熱蒸気と、ガスクーラー４１での熱交換時に作られた過熱蒸気とで復水タービン発電機４を発電動作させることができる。
【００５４】
また、間接加熱式ガス化炉１及び循環流動層ボイラ２は、夫々、バイオマスと石炭の混焼率や種類に制限がなく、しかも、間接加熱式ガス化炉１と循環流動層ボイラ２との間で加熱された熱媒体を循環させるようにしているため、バイオマス及び低品位炭を燃料として有効利用できると共に、効率的にガス化ガス及び過熱蒸気を作ることができる。
【００５５】
したがって、一つのシステムで、水素と電力という二つのエネルギーを供給できると共に、水素製造時及び発電時におけるＣＯ2の削減を実現し、その上、際めて効率的な発電を行うことができる。
【００５６】
以上、本発明の実施形態について図面を参照して詳述してきたが、具体的な構成は、これらの実施の形態に限られるものではなく、本発明の要旨を逸脱しない範囲の設計の変更等があっても本発明に含まれる。
【００５７】
また、前述の各実施形態は、その目的及び構成等に特に矛盾や問題がない限り、互いの技術を流用して組み合わせることが可能である。
【符号の説明】
【００５８】
Ａ〜Ｃ：エネルギー供給システム
１：間接加熱式ガス化炉
２：循環流動層ボイラ
２Ａ：燃焼炉
３：独立過熱器
４：復水タービン発電機
５：ガスタービン発電機
６：排熱回収ボイラ
７：水素分離器
４０：復水器
４１：ガスクーラー
Ｌ１：ガス化ガス供給ライン
Ｌ３：排ガス供給ライン
Ｌ２０：過熱蒸気供給ライン
Ｌ２１：過熱蒸気供給ライン
Ｌ２２：ガス化剤供給ライン
Ｌ２３：蒸気供給ライン
Ｌ２４：ボイラ給水ライン
Ｌ２５：熱交換ライン
Ｌ２４０：ボイラ給水ライン
【要約】
ＣＯ2排出量が少ない低炭素型で高効率なエネルギー供給システムの提供。少なくともバイオマスを含む燃料を用いてガス化ガスを作る間接加熱式ガス化炉、少なくともバイオマスを含む燃料を用いて過熱蒸気を作る循環流動層ボイラ、復水タービン発電装置、ガス化ガス活用装置等を有機的に結合一体化してなる低炭素型エネルギー供給システム。【図１】
0006472115.tif 000002
【図２】
0006472115.tif 000003
【図３】
0006472115.tif 000004